(57)【特許請求の範囲】
【請求項１】
前身頃と、該前身頃に連続された後身頃と、を備えて、着用者の体形を補正するためのサポート部材と、
前記サポート部材の着用者側に重ねられるとともに、前記前身頃と前記後身頃との境界に位置する一方の脇はぎから他方の脇はぎまで連続して、乳房を押し潰すための乳房押さえ部と、を備え、
前記乳房押さえ部が、左右の乳房の少なくとも一部を覆う一対の覆い部と、これら一対の覆い部間に位置する間部と、を備え、
前記前身頃が、前記一対の覆い部それぞれを被覆する一対の覆い部相当部と、前記間部を被覆する間部相当部と、を有し、
前記サポート部材が、前記覆い部相当部それぞれと前記後身頃とに架け渡される一対の肩吊り紐をさらに有し、
前記肩吊り紐の前記覆い部相当部への付け根は、前記覆い部相当部の前記間部相当部側の端部から前記覆い部相当部の上縁部に沿って設けられ、
前記覆い部と前記間部とが、前記乳房押さえ部の上縁部から下縁部まで直線状に連続形成された一対の第１接合部により接合されてシート状に一体に形成されていることを特徴とする補正下着。
【請求項２】
前記覆い部は、乳首に対向する位置に設けられて当該覆い部の上縁部から下縁部まで連続形成された第２接合部により接合された２枚の部材から構成されていることを特徴とする請求項１に記載の補正下着。
【請求項３】
前記第２接合部は、乳首に対向する位置から前記覆い部の上縁部に向かうに従って、前記間部から離れる方向に湾曲されていることを特徴とする請求項２に記載の補正下着。
【請求項４】
前記乳房押さえ部において、その上縁部における前記覆い部と前記間部との境界部は、前記脇はぎの上端よりも上方側に位置していることを特徴とする請求項１乃至請求項３のうち何れか一項に記載の補正下着。
【発明の詳細な説明】
【技術分野】
【０００１】
本発明は、着用者の体形を補正するための補正下着に関する。
【背景技術】
【０００２】
従来、乳房を引き締めフラットな男性体形に矯正し、女性の体形を男性に近いものにする女性用体形補正下着としての胸部サポーターが特許文献１に開示されている。一方、女性の胸部をサポートする帯状の胸部サポーターが特許文献２に開示されている。特許文献２に開示された胸部サポーターは、胸部に重ねて装着される左右一対のホールド部と、左右一対のホールド部を背側において連結するフレキシブル部と、これらの一対のホールド部及びフレキシブル部を被覆するラウンドカバー部と、を有して構成されている。右側のホールド部とフレキシブル部と左側のホールド部とは、内面側部分を構成する。この内面側部分とラウンドカバー部とは、その幅方向（上下方向）の両端部分がゴム部で接合されている。ゴム部は、やや引き伸ばした状態で内面側部分とラウンドカバー部とに縫合されている。
【先行技術文献】
【特許文献】
【０００３】
【特許文献１】特開２００５−２８１９４４号公報
【特許文献２】特開２００８−１５０７２２号公報
【発明の概要】
【発明が解決しようとする課題】
【０００４】
しかしながら、特許文献２に開示された胸部サポーターは、着用前の状態において、ゴム部が引き伸ばされた状態にあり、着用時には、ゴム部がさらに引き伸ばされて着用者の体を締め付けるとともに乳房を圧迫し続ける。このため、胸部サポーターを着用の際に苦痛を感じて、長時間の着用に耐え難い。
【０００５】
本発明は、乳房を押し潰しつつ、より長時間の着用を可能とする補正下着を提供することを目的とする。
【課題を解決するための手段】
【０００６】
上記目的を解決するために本発明は以下の構成を備える。
即ち、本発明は、前身頃と、該前身頃に連続された後身頃と、を備えて、着用者の体形を補正するためのサポート部材と、前記サポート部材の着用者側に重ねられるとともに、前記前身頃と前記後身頃との境界に位置する一方の脇はぎから他方の脇はぎまで連続して、乳房を押し潰すための乳房押さえ部と、を備え、前記乳房押さえ部が、左右の乳房の少なくとも一部を覆う一対の覆い部と、これら一対の覆い部間に位置する間部と、を備え、前記前身頃が、前記一対の覆い部それぞれを被覆する一対の覆い部相当部と、前記間部を被覆する間部相当部と、を有し、前記サポート部材が、前記覆い部相当部それぞれと前記後身頃とに架け渡される一対の肩吊り紐をさらに有し、 前記肩吊り紐の前記覆い部相当部への付け根は、前記覆い部相当部の前記間部相当部側の端部から前記覆い部相当部の上縁部に沿って設けられ、前記覆い部と前記間部とが、前記乳房押さえ部の上縁部から下縁部まで直線状に連続形成された一対の第１接合部により接合されてシート状に一体に形成されていることを特徴とする補正下着である。
【０００７】
本発明においては、前記覆い部と前記間部とが、前記乳房押さえ部の上縁部から下縁部まで直線状に連続形成された一対の第１接合部により接合されてシート状に一体に形成されているのがよい。
【０００８】
また、本発明においては、前記覆い部は、乳首に対向する位置に設けられて当該覆い部の上縁部から下縁部まで連続形成された第２接合部により接合された２枚の部材から構成されているのがよい。
【０００９】
さらに、本発明においては、前記第２接合部は、乳首に対向する位置から前記覆い部の上縁部に向かうに従って、前記間部から離れる方向に湾曲されているのがよい。
【００１０】
さらに、また、本発明においては、前記乳房押さえ部において、その上縁部における前記覆い部と前記間部との境界部は、前記脇はぎの上端よりも上方側に位置しているのがよい。
【発明の効果】
【００１１】
本発明によれば、前身頃と、該前身頃に連続された後身頃と、を備えて、着用者の体形を補正するためのサポート部材と、サポート部材の着用者側に重ねられるとともに、前身頃と後身頃との境界に位置する一方の脇はぎから他方の脇はぎまで連続して、乳房を押し潰すための乳房押さえ部と、を備え、乳房押さえ部が、左右の乳房の少なくとも一部を覆う一対の覆い部と、これら一対の覆い部間に位置する間部と、を備え、前身頃が、一対の覆い部それぞれを被覆する一対の覆い部相当部と、間部を被覆する間部相当部と、を有し、サポート部材が、覆い部相当部それぞれと後身頃とに架け渡される一対の肩吊り紐をさらに有し、肩吊り紐の覆い部相当部への付け根は、覆い部相当部の間部相当部側の端部から覆い部相当部の上縁部に沿って設けられている。即ち、本発明の補正下着は、乳房押さえ部からはみ出した乳房の一部が、肩吊り紐により、着用者側に押し付けられつつ潰されることとなる。ここで、従来技術の胸部サポーターは、着用前の状態において、ゴム部が引き伸ばされた状態にあり、着用時には、ゴム部がさらに引き伸ばされて着用者の体を締め付けるとともに、乳房を圧迫し続けるが、本発明の補正下着が肩吊り紐を有することにより、乳房の膨らみが広範囲にて押し潰される。これにより、本発明における補正下着を長時間着用することによる苦痛が軽減され、より長時間の着用を可能とする補正下着を提供することができるとともに、着用者の胸全体が平らになるように体形を補正することができる。
【００１２】
また、本発明において、覆い部と間部とが、乳房押さえ部の上縁部から下縁部まで直線状に連続形成された第１接合部により接合されてシート状に一体に形成されていることで、第１接合部により、覆い部と間部とが平面的に接合されるから、乳房の膨らみが、間部を含む広範囲にて、着用者側に押し付けられつつ、潰されることとなる。従って、本発明における補正下着を長時間着用することによる苦痛が、より一層軽減され、より長時間の着用を可能とすることができる。
【００１３】
さらに、また、本発明において、覆い部は、乳首に対向する位置に設けられて当該覆い部の上縁部から下縁部まで連続形成された第２接合部により接合された２枚の部材から構成されていることで、第２接合部により、着用者の乳房に対する乳房押さえ部の位置ずれを抑制することができる。
【００１４】
また、本発明において、第２接合部は、乳首に対向する位置から覆い部の上縁部に向かうに従って、間部から離れる方向に湾曲されていることで、覆い部が乳房の形状に沿って立体的に接合されることとなり、覆い部の乳房に対する位置ずれを抑制することができる。また、第２接合部が湾曲して設けられていることにより、乳房の膨らみを、第２接合部よりも脇はぎ側（着用者の前中心から離れた側）に誘導しつつ、乳房を着用者側に押し付けることができる。従って、乳房に対する位置ずれを抑制しつつ、乳房の膨らみを押し潰して、着用者の胸全体が平らになるように体形を補正することができる。
【００１５】
また、本発明において、乳房押さえ部において、その上縁部における覆い部と間部との境界部は、脇はぎの上端よりも上方側に位置することで、間部における上下の幅寸法が確保されることと成り、乳房の膨らみが、より一層、広範囲にて、着用者側に押し付けられつつ、潰されることとなる。従って、本発明における補正下着を長時間着用することによる苦痛が、より一層軽減される。
【図面の簡単な説明】
【００１６】
【図１】本発明の一実施の形態にかかる補正下着を着用した状態で正面側から見た正面図である。
【図２】図１に示された着用状態の補正下着を背面側から見た背面図である。
【図３】図１に示された補正下着を構成する乳房押さえ部を表面側から見た平面図である。
【図４】図１に示された補正下着を構成する乳房押さえ部を裏面側から見た平面図である。
【発明を実施するための形態】
【００１７】
以下、本発明の例示的一態様である実施形態にかかる補正下着としてのブラジャーを図１〜図４を参照して説明する。図１は、本発明の一実施の形態にかかる補正下着を着用した状態で正面側から見た正面図である。図２は、図１に示された着用状態の補正下着を背面側から見た背面図である。図３は、図１に示された補正下着を構成する乳房押さえ部を表面側から見た平面図である。図４は、図１に示された補正下着を構成する乳房押さえ部を裏面側から見た平面図である。
【００１８】
ブラジャーは、図１〜図４に示すように、サポート部材２と、このサポート部材２の着用者側に重ねられるとともに、乳房を押し潰すための乳房押さえ部３（図４）と、を備えて構成されている。このブラジャー１は、比較的乳房の大きい（例えばＢ〜Ｈカップ）女性が、男性キャラクターにコスチュームプレーをする際に用いられる補正下着であり、乳房を押し潰しつつ、より長時間の着用を可能とするように構成されている。乳房押さえ部３は、図４に示すように、着用者の左右の乳房それぞれを覆う一対の覆い部４と、これら一対の覆い部４間に位置するとともに上方に向かうに従って左右の幅が広くなる略逆三角形状に形成された間部５と、を備えている。
【００１９】
サポート部材２は、図３に示すように、乳房押さえ部３を着用者側に重ねて支持する前身頃６と、この前身頃６の左右の両端に連続される一対のバック部７（後身頃）と、前身頃６と各バック部７とに架け渡される一対の肩吊り紐８と、を有して構成されている。ここで、ブラジャー１は、前身頃６と各バック部７との境界に位置する脇はぎ９が、着用者の脇線に重なるように着用される。一対のバック部７には、その先端部同士を背中心位置にて係脱自在に係止する係止手段１０（図２に示す）が設けられている。また、サポート部材２は、乳房の膨らみを上下に逃がして、乳房の膨らみを広範囲にて押し潰すように、左右方向（矢印Ｘ方向）よりも上下方向（矢印Ｙ方向）に大きな伸縮性を有するように構成されている。前身頃６は、乳房押さえ部３の一対の覆い部４それぞれを被覆する一対の覆い部相当部６１と、一対の覆い部相当部６１間に設けられて間部５を被覆する間部相当部６２と、を有して構成されている。覆い部相当部６１と間部相当部６２とは乳房押さえ部３の覆い部４の後述する第１接合部３１に対向する位置で接合され、各覆い部相当部６１と各バック部７とは、脇はぎ９にて接合されている。覆い部相当部６１は、２部材から構成されていて、覆い部４の後述する第２接合部３２に対向する位置で接合されている。
【００２０】
ここで、本明細書では、ブラジャー１を着用した状態で、前身頃６に対して一対のバック部７が連続される着用者の胴周り方向（左右方向と記す場合がある）を矢印Ｘで示し、着用者の起立方向（上下方向（矢印Ｙ方向）と記す場合がある）を矢印Ｙで示す。胴回り方向と起立方向は互いに直交する方向である。
【００２１】
乳房押さえ部３は、図４に示すように、一対の覆い部４と間部５とが一対の第１接合部３１により接合されて、シート状に一体に構成されている。これにより、乳房の膨らみが、間部５を含む広範囲にて、着用者側に押し付けられつつ、潰されることになる。また、乳房押さえ部３は、所定の厚みを有する不織布から構成されている。一対の第１接合部３１は、覆い部４と間部５との境界に位置し、乳房押さえ部３の上縁部３３から下縁部３４まで直線状に連続形成されているとともに、上方に向かうに従って脇はぎ９側（着用者の前中心から離れた側）に傾斜して設けられている。この第１接合部３１により、覆い部４と間部５とが平面的に接合されるから、乳房の膨らみが、間部５を含む広範囲にて、着用者側に押し付けられつつ、潰されることとなる。
【００２２】
本実施形態において、「接合」との語は、隣り合う部材同士を縫合することでつなぎ合わせることを意味する。しかしながら、本発明はこれに限らず、「接合」との語は、隣り合う部材同士を接着によりつなぎ合わされていることを含むものとする。
【００２３】
覆い部４は、図４に示すように、乳房の少なくとも一部を覆うことが可能な程度の面積を有するシート状に形成されている。この覆い部４は、間部５に連続される第１部材４１と、第１部材４１と脇はぎ９との間にて両者に連続される第２部材４２と、を有し、これらの部材４１、４２が第２接合部３２により接合されて構成されている。この第２接合部３２は、乳房押さえ部３の上縁部３３から下縁部３４（覆い部の上縁部から下縁部）まで連続形成されているとともに、バストトップ（乳首）に対向する位置である覆い部４の略中央部を通る位置に設けられている。また、第２接合部３２は、下縁部３４から上縁部３３に向かうに従って、間部５から脇はぎ９側に離れる方向に湾曲して設けられている。さらに、第２接合部３２は、覆い部４の略中央部よりも上方側の部分３２Ａが、第１部材４１と第２部材４２とが立体的になるように接合され、覆い部４の略中央部にバストトップが位置するように設けられている。このような第２接合部３２が形成されていることにより、ブラジャー１の着用状態において、覆い部４が乳房にフィットして装着されるとともに、乳房の膨らみを脇はぎ９側（着用者の前中心から離れた側）に誘導しつつ、乳房を着用者側に押し付けている。
【００２４】
さらに、乳房押さえ部３は、図４に示すように、上縁部３３と、バージスライン（乳房下の輪郭線）に沿って左右方向（矢印Ｘ方向）に沿って設けられる直線状の下縁部３４と、サポート部材２の一対の脇はぎ９に重なる左右一対の脇はぎ重ね部３５と、を有している。上縁部３３は、間部５の上縁部を成す第１上縁部３６と、第１部材４１の上縁部を成す第２上縁部３７と、第２部材４２の上縁部を成す第３上縁部３８及び各脇はぎ９に連続されるサイドカット部３９と、を有している。下縁部３４は、一対の脇はぎ重ね部３５の下端に連続されている。一対の脇はぎ重ね部３５は、サポート部材２の脇はぎ９とともに縫合され、着用した状態で脇線に沿うように設けられている。
【００２５】
第１上縁部３６は、図４に示すように、下方に向けて凸になる円弧状となるように形成されている。第１上縁部３６の両端は、一対の第１接合部３１の上端３ａと重なる位置に設けられている。第２上縁部３７は、上方に向けて凸となる円弧状に形成されているとともに、第１上縁部３６の円弧に沿った滑らかな円弧状に形成されている。第２上縁部３７の両端は、第１接合部３１の上端３ａ及び第２接合部３２の上端３ｂに重なる位置に設けられている。第３上縁部３８は、第２上縁部３７との境界に位置する第２接合部３２の上端３ｂが最も高い位置になるようにサイドカット部３９に向けて連続されている。
【００２６】
また、乳房押さえ部３において、その上縁部３３における覆い部４と間部５との境界部（「第１接合部３１の上端３ａ」と同じ位置）は、脇はぎ重ね部３５の上端３ｃ（「脇はぎの上端」と同じ位置）よりも上方側に位置している。これにより、間部５における上下の幅寸法が確保され、乳房の膨らみが、より一層、広範囲にて、着用者側に押し付けられつつ、潰される。
【００２７】
サポート部材２は、図１、図２に示すように、下縁部２１が、乳房押さえ部３の下縁部３４よりも、所定の寸法だけ下方側において、左右方向（矢印Ｘ方向）に沿って、前身頃６からバック部７まで延在形成されている。この下縁部２１は、サポート部材２の下縁が折り返されて構成されたものであり、当該下縁は、前身頃６においては、乳房押さえ部３の下縁部３４とともに縫合され、バック部７においては、補強部材として機能する平ゴム１１とともに縫合されて、裁ち目が始末されている。平ゴム１１は、帯板状に設けられ、その長手方向に伸縮するゴム素材から構成されているとともに、乳房押さえ部３の下縁部３４の左右方向（矢印Ｘ方向）に延長する位置において、バック部７の全長に設けられている。
【００２８】
一対の肩吊り紐８は、図１に示すように、その覆い部相当部６１への付け根が、覆い部相当部６１の間部相当部６２側の端部３ａ（「第１接合部３１の上端３ａ」と同じ位置であるので同一符号を付す）から覆い部相当部６１の上縁部６１ａに沿って第２接合部３２の上端３ｂを超える位置まで設けられている。また、各肩吊り紐８は、覆い部相当部６１の間部相当部６２側の端部３ａから、着用者の肩線に対向する肩線対向部８ａ（図１に示す）に向かうに従って幅狭になるように直線状に設けられ、肩線対向部８ａからバック部７の下縁部２１に向かうに従って、幅広になるように直線状に設けられている。このようなに肩吊り紐８は、サポート部材２の下縁部２１に向かうに従って幅広になるように形成されているから、脇線近傍部に付いた肉や背中の肉を着用者側に押し付けて、着用者の体形を補正する。また、各肩吊り紐８において、覆い部相当部６１の間部相当部６２側の端部３ａに連続される端８０は、生地端が、折り返し縫いせずにそのまま用いられている。このため、肩吊り紐８の端８０は、縫い目がなく、段差であるブラジャー１の輪郭がアウターウエア側に表れ難くする。また、肩吊り紐８におけるアームホール側の端８１は、補強部材として機能する平ゴム１１とともに縫合されて、裁ち目が始末されている。この肩吊り紐８は、端８０が第１接合部３１に延長する直線状に設けられている。
【００２９】
ブラジャー１は、図４に示すように、乳房押さえ部３において、下縁部３４から上縁部３３における覆い部４と間部５との境界部（「第１接合部３１の上端３ａ」と同じ位置）までの寸法Ｌ１を１２６ｍｍ、下縁部３４から脇はぎ９の上端（脇はぎ重ね部３５の上端３ｃと同じ位置）までの寸法Ｌ２を１１０ｍｍ、下縁部３４における一方の脇はぎ重ね部３５（一方の脇はぎ９と同じ位置）から他方の脇はぎ重ね部３５（他方の脇はぎ９と同じ位置）までの寸法Ｌ３を３２０ｍｍとなるように形成した。
【００３０】
尚、本実施形態において、上記各寸法等はあくまでも一例であり、本発明においては用途に応じて適宜設計すればよく、ブラジャー１としては、図４に示すように、乳房押さえ部３において、下縁部３４から上縁部３３における覆い部４と間部５との境界部（「第１接合部３１の上端３ａ」と同じ位置）までの寸法Ｌ１を１２０ｍｍ以上１３０ｍｍ以下、下縁部３４から脇はぎ９の上端（脇はぎ重ね部３５の上端３ｃと同じ位置）までの寸法Ｌ２を１００ｍｍ以上１２０ｍｍ以下、下縁部３４における一方の脇はぎ重ね部３５（一方の脇はぎ９と同じ位置）から他方の脇はぎ重ね部３５（他方の脇はぎ９と同じ位置）までの寸法Ｌ３を３００ｍｍ以上３５０ｍｍ以下となるように形成されていることが好ましい。
【００３１】
上述した実施形態によれば、肩吊り紐８の覆い部相当部６１への付け根が、覆い部相当部６１の間部相当部６２側の端部３ａ（「第１接合部３１の上端３ａ」と同じ位置であるので同一符号を付す）から覆い部相当部６１の上縁部６１ａに沿って第２接合部３２の上端３ｂを超える位置まで設けられている。即ち、本発明のブラジャー１は、乳房押さえ部３からはみ出した乳房の一部が、肩吊り紐８により、着用者側に押し付けられつつ潰されることとなる。ここで、本発明のブラジャー１が肩吊り紐８を有することにより、乳房の膨らみが広範囲にて押し潰される。これにより、本発明におけるブラジャー１を長時間着用することによる苦痛が軽減され、より長時間の着用を可能とする補正下着を提供することができるとともに、着用者の胸全体が平らになるように体形を補正することができる。
【００３２】
なお、本発明の補正下着としては、比較的乳房の大きい（例えばＢ〜Ｈカップ）女性が、男性キャラクターにコスチュームプレーをする際に用いられる補正下着であり、乳房を押し潰しつつ、より長時間の着用を可能とするブラジャー１の一例を説明したが、補正下着として、各種のスポーツウエアのインナーウエアとして用いてもよく、和装下着として用いてもよく、日常、家庭の中などで着用する衣服のインナーウエアとして用いてもよい。即ち、補正下着は、着用者の胸全体が平らになるように体形を補正するあらゆる場面で用いることができる。
【００３３】
また、本実施形態では、ブラジャー１の一例を説明したが、本発明の補正下着は、これに限定されるものではなく、例えば、ボディスーツやビスチェにも適用することもできる。
【００３４】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の補正下着の構成を具備する限り、勿論、本発明の範疇に含まれるものである。
【符号の説明】
【００３５】
１        ブラジャー（補正下着）
３        乳房押さえ部
３ａ      覆い部相当部の間部相当部側の端部
４        （一対の）覆い部
５        間部
６        前身頃
７        後身頃
８        （一対の）肩吊り紐
９        脇はぎ
３１      第１接合部
３２      第２接合部
６１      覆い部相当部
６１ａ    覆い部相当部の上縁部
６２      間部相当部
【図１】
0006570889.tif 000002
【図２】
0006570889.tif 000003
【図３】
0006570889.tif 000004
【図４】
0006570889.tif 000005